【手続補正書】
【提出日】平成27年7月17日(2015.7.17)
【手続補正１】
【補正対象書類名】明細書
【補正対象項目名】発明の名称
【補正方法】変更
【補正の内容】
【発明の名称】画像処理装置および画像処理方法
【手続補正２】
【補正対象書類名】明細書
【補正対象項目名】０００１
【補正方法】変更
【補正の内容】
【０００１】
本発明は、画像処理装置および画像処理方法に関し、詳しくは、色材を実質的に含まないいわゆるクリアインクを用いて記録画像におけるブロンズ現象を抑制する技術に関するものである。
【手続補正３】
【補正対象書類名】明細書
【補正対象項目名】０００９
【補正方法】変更
【補正の内容】
【０００９】
本発明は、複数の記録モード間で、ブロンズ現象にまつわる、ブロンズの色味や光の干渉状態での色つきの違いを抑制することが可能な画像処理装置および画像処理方法を提供することを目的とする。
【手続補正４】
【補正対象書類名】明細書
【補正対象項目名】００１０
【補正方法】変更
【補正の内容】
【００１０】
そのために本発明では、色材を含む色材インクと色材を含まないクリアインクを用いて記録媒体上の所定領域に対する複数回の相対走査により画像を記録する記録部で用いる記録データを生成する画像処理装置であって、所定の色域が前記記録部で再現できる色域に変換されるよう画像データの変換を行う色域変換手段と、画像データに基づいて、前記所定領域に対する最後の走査で前記クリアインクを付与せずに前記色材インクを付与する第１記録モードと、前記所定領域に対する最後の走査で前記色材インクを付与せずに前記クリアインクを付与する第２記録モード、のための記録データをそれぞれ生成する記録データ生成手段と、を具え、前記色域変換手段は、前記第１記録モードを実行するときに、前記所定の色域における所定の色を変換したときの色（Ｂｌｕｅ−ｓ）の色相が、前記第２記録モードを実行するときに、前記所定の色域における前記所定の色を変換したときの色（Ｂｌｕｅ−ｆ）の色相と異なるよう変換を行うことを特徴とする。
【手続補正５】
【補正対象書類名】明細書
【補正対象項目名】００７６
【補正方法】変更
【補正の内容】
【００７６】
一方、「標準」モードが選択されたときは、標準ＲＧＢ色域のブルーのプライマリー色「Ｂｌｕｅ」は、その色相よりも図において時計まわりの方向に移動した点（色）で、「標準」モードによる色域内の色に写像され、その色を「標準」モードによる色域のプライマリー色「Ｂｌｕｅ−ｓ」とする。すなわち、本発明を適用しない色変換、つまりプライマリー色「Ｂｌｕｅ」をそれと同じ色相の色に変換する色変換を行うと、「標準」モードによる色域では、ブロンズ抑制のためのクリアインクを図１５（ａ）に示すように用いた結果、プライマリー色「Ｂｌｕｅ」は、観察者が図１７において一点鎖線で示す点（色）のように視認される色となる。つまり、標準ＲＧＢ色域のブルーのプライマリー色「Ｂｌｕｅ」の色相よりも図において反時計周りの方向にずれた色として視認される。そして、この色域のずれが、「きれい」モードと「標準」モードとの間で、視認する色の違いと感じられることになる。これに対し、本実施形態では、上述したように、標準ＲＧＢ色域のブルーのプライマリー色「Ｂｌｕｅ」を、時計周りの方向に移動した点（色）に写像し、その色を「標準」モードによる色域のプライマリー色「Ｂｌｕｅ−ｓ」とする。この結果、観察者がこの色を観察するときは、反時計周りの方向にずれた色で、「きれい」モードによる色域のプライマリー色「Ｂｌｕｅ−ｆ」の色相と同じ色相の色として視認され、「きれい」モードと「標準」モードとの間の、視認する色の違いが抑制される。
【手続補正６】
【補正対象書類名】特許請求の範囲
【補正対象項目名】全文
【補正方法】変更
【補正の内容】
【特許請求の範囲】
【請求項１】
色材を含む色材インクと色材を含まないクリアインクを用いて記録媒体上の所定領域に対する複数回の相対走査により画像を記録する記録部で用いる記録データを生成する画像処理装置であって、
所定の色域が前記記録部で再現できる色域に変換されるよう画像データの変換を行う色域変換手段と、
画像データに基づいて、前記所定領域に対する最後の走査で前記クリアインクを付与せずに前記色材インクを付与する第１記録モードと、前記所定領域に対する最後の走査で前記色材インクを付与せずに前記クリアインクを付与する第２記録モード、のための記録データをそれぞれ生成する記録データ生成手段と、
を具え、
前記色域変換手段は、前記第１記録モードを実行するときに、前記所定の色域における所定の色を変換したときの色（Ｂｌｕｅ−ｓ）の色相が、前記第２記録モードを実行するときに、前記所定の色域における前記所定の色を変換したときの色（Ｂｌｕｅ−ｆ）の色相と異なるよう変換を行うことを特徴とする画像処理装置。
【請求項２】
前記第１記録モードは、前記色材インクと前記クリアインクが記録ヘッドの同じ走査で付与されるモードであり、前記第２記録モードは、前記色材インクと前記クリアインクが記録ヘッドの同じ走査で付与され、前記色材インクと前記クリアインクを付与する走査より後の走査で前記色材インクが付与されずに前記クリアインクが付与されることを特徴とする請求項１に記載の画像処理装置。
【請求項３】
前記所定の色はブルーであり、Ｌ*ａ*ｂ*座標系のＲＧＢ標準色空間において色相角２８０度〜３０５度の色相であることを特徴とする請求項１または２に記載の画像処理装置。
【請求項４】
前記所定の色は、前記所定の色域における最大彩度を示すブルーであることを特徴とする請求項１または２に記載の画像処理装置。
【請求項５】
前記色域変換手段は、標準ＲＧＢ色空間において画像データの変換を行い、
前記最大彩度を示すブルーは、Ｒ＝０，Ｇ＝０、Ｂ＝２５５のデータを元に変換される色であることを特徴とする請求項４に記載の画像処理装置。
【請求項６】
前記第１記録モードを実行する場合に前記色域変換手段により変換される前記ブルーが示す色相角は、前記第２記録モードを実行する場合に前記色域変換手段により変換される前記ブルーが示す色相角よりも小さいことを特徴とする請求項３または４に記載の画像処理装置。
【請求項７】
前記記録部を、さらに具えたことを特徴とする請求項１ないし６のいずれか１項に記載の画像処理装置。
【請求項８】
色材を含む色材インクと色材を含まないクリアインクを用いて記録媒体上の所定領域に対する複数回の相対走査により画像を記録する記録部で用いる記録データを生成するための画像処理方法であって、
所定の色域が前記記録部で再現できる色域に変換されるよう画像データの変換を行う色域変換工程と、
画像データに基づいて、前記所定領域に対する最後の走査で前記クリアインクを付与せずに前記色材インクを付与する第１記録モードと、前記所定領域に対する最後の走査で前記色材インクを付与せずに前記クリアインクを付与する第２記録モード、のための記録データをそれぞれ生成する記録データ生成工程と、
を有し、
前記色域変換工程では、前記第１記録モードを実行するときに、前記所定の色域における所定の色を変換したときの色（Ｂｌｕｅ−ｓ）の色相が、前記第２記録モードを実行するときに、前記所定の色域における前記所定の色を変換したときの色（Ｂｌｕｅ−ｆ）の色相と異なるよう変換を行うことを特徴とする画像処理方法。
【請求項９】
前記第１記録モードは、前記色材インクと前記クリアインクが記録ヘッドの同じ走査で付与されるモードであり、前記第２記録モードは、前記色材インクと前記クリアインクが記録ヘッドの同じ走査で付与され、前記色材インクと前記クリアインクを付与する走査より後の走査で前記色材インクが付与されずに前記クリアインクが付与されることを特徴とする請求項８に記載の画像処理方法。
【請求項１０】
前記所定の色はブルーであり、Ｌ*ａ*ｂ*座標系のＲＧＢ標準色空間において色相角２８０度〜３０５度の色相であることを特徴とする請求項８または９に記載の画像処理方法。
【請求項１１】
前記所定の色は、前記所定の色域における最大彩度を示すブルーであることを特徴とする請求項８または９に記載の画像処理方法。
【請求項１２】
前記色域変換工程では、標準ＲＧＢ色空間において画像データの変換を行い、
前記最大彩度を示すブルーは、Ｒ＝０，Ｇ＝０、Ｂ＝２５５のデータを元に変換される色であることを特徴とする請求項１１に記載の画像処理方法。
【請求項１３】
前記第１記録モードを実行する場合に前記色域変換工程で変換される前記ブルーが示す色相角は、前記第２記録モードを実行する場合に前記色域変換工程で変換される前記ブルーが示す色相角よりも小さいことを特徴とする請求項１０または１１に記載の画像処理方法。